(57)【要約】【課題】シューズ用ソール構造において、接地時における足裏の部位ごとにかかる荷重を適時に把握して身体の動きをコントロールしやすくする。【解決手段】ソール１は、着用者の足裏Ｆ全体を支持するソール本体部３と、ソール本体部３の下部から路面Ｇ側に向かって下方に突出し、互いに間隔をあけて配置された下側凸部１１，１１，…と、ソール本体部３の上部から着用者の足裏Ｆ側に向かって上方に突出し、各々がソール本体部３の上側で各下側凸部１１と重なる位置に配置された上側凸部１３，１３，…と、を備えている。各下側凸部１１は、下部に路面Ｇに接地する第１領域Ｒ１を有している。各上側凸部１３は、上部に着用者の足裏Ｆと当接しかつ第１領域Ｒ１よりも小さい第２領域Ｒ２を有している。【選択図】図３
2019063491.tif 000002
【特許請求の範囲】
【請求項１】
着用者の足裏全体を支持するソール本体部と、
前記ソール本体部の下部から路面側に向かって下方に突出し、互いに間隔をあけて配置された複数の下側凸部と、
前記ソール本体部の上部から着用者の足裏側に向かって上方に突出し、各々が前記ソール本体部の上側で前記各下側凸部と重なる位置に配置された複数の上側凸部と、を備え、
前記各下側凸部は、下部に路面に接地する第１領域を有しており、
前記各上側凸部は、上部に着用者の足裏と当接しかつ前記第１領域よりも小さい第２領域を有する、シューズ用ソール構造。
【請求項２】
請求項１に記載のシューズ用ソール構造において、
前記各下側凸部は、略柱状に形成されており、
前記第１領域は、前記各下側凸部における下側の底面として構成されている、シューズ用ソール構造。
【請求項３】
請求項１または２に記載のシューズ用ソール構造において、
前記複数の上側凸部は、各々の前記第２領域の大きさが着用者の足裏の部位に応じて異なるように形成されている、シューズ用ソール構造。
【請求項４】
請求項１〜３のいずれか１項に記載のシューズ用ソール構造において、
前記複数の上側凸部は、各々の突出高さが着用者の足裏の部位に応じて異なるように形成されている、シューズ用ソール構造。
【請求項５】
請求項１〜４のいずれか１項に記載のシューズ用ソール構造を備えた、シューズ。
【請求項６】
請求項５に記載のシューズにおいて、
前記シューズ用ソール構造の上側に取り付けられたアッパーをさらに備え、
前記アッパーは、アッパー本体と、該アッパー本体と一体に形成された中底とを有する、シューズ。
【請求項７】
請求項５または６に記載のシューズにおいて、
前記シューズ用ソール構造の上側に配置されたインソールをさらに備えた、シューズ。
【発明の詳細な説明】
【技術分野】
【０００１】
本発明は、シューズ用ソール構造およびそれを備えたシューズに関する。
【背景技術】
【０００２】
従来から、例えば特許文献１のように、ソール本体の下面から路面側に向かって下方に突出し、互いに間隔をあけて配置された複数の第１の突起と、ソール本体の上面からシューズを着用した者（以下、「着用者」という）の足裏側に向かって上方に突出し、互いに間隔をあけて配置された複数の第２の突起と、を備えたシューズ用のソール構造体が開示されている。第１および第２の突起は、ソール本体を挟んで上下に相対する位置にそれぞれ配置されている。また、第１の突起は、下端部が半球状に形成されていて、該下端部の路面に対する接触部分が比較的小さくなるように形成されている。さらに、このソール構造体では、路面に対する第１の突起の接地面積と着用者の足裏に対する第２の突起の当接面積とが略同じとなるように構成されている。
【先行技術文献】
【特許文献】
【０００３】
【特許文献１】特開２０１４−１４４１７０号公報
【発明の概要】
【発明が解決しようとする課題】
【０００４】
特許文献１のソール構造体では、着用者の足（ソール構造体）が路面に接地した時（以下「接地時」という）に路面からソール構造体に作用する反力が第１の突起からソール本体を介して第２の突起に伝達される。これにより、上記反力が着用者の足裏に伝わるようになっている。
【０００５】
しかしながら、特許文献１のソール構造体では、第１の突起の下端部における路面に対する接触部分が比較的小さく形成され、かつ路面に対する第１の突起の接地面積と着用者の足裏に対する第２の突起の当接面積とが略同じとなるように構成されていることから、接地時に上記反力が第１の突起から第２の突起に向かう過程で分散しやすくなり、上記反力が第２の突起から着用者の足裏各所に正確に伝わりにくくなってしまう。このため、着用者は、接地時に足裏各所に伝達される圧力の強弱をそれぞれの部位ごとに認識することができず、接地時における足裏の部位ごとにかかる荷重を適時に把握して身体の動きをコントロールし難いものとなっていた。
【０００６】
本発明は斯かる点に鑑みてなされたものであり、その目的は、接地時における足裏の部位ごとにかかる荷重を適時に把握して身体の動きをコントロールしやすくすることにある。
【課題を解決するための手段】
【０００７】
上記の目的を達成するために、本発明の第１の形態はシューズ用ソール構造に係るものであり、このソール構造は、着用者の足裏全体を支持するソール本体部と、ソール本体部の下部から路面側に向かって下方に突出し、互いに間隔をあけて配置された複数の下側凸部と、ソール本体部の上部から着用者の足裏側に向かって上方に突出し、各々がソール本体部の上側で各下側凸部と重なる位置に配置された複数の上側凸部と、を備えている。そして、各下側凸部は、下部に路面に接地する第１領域を有しており、各上側凸部は、上部に着用者の足裏と当接しかつ第１領域よりも小さい第２領域を有することを特徴とする。
【０００８】
この第１の形態では、例えば歩行動作、走行動作、またはジャンプ動作のような各種動作により着用者の足の接地時において、路面から受ける反力が複数の下側凸部に伝達されるとともに、該反力がソール本体部の上側で各下側凸部と重なる位置に配置された各上側凸部により各下側凸部から各上側凸部を介して直接的に着用者の足裏に伝達される。そして、各上側凸部の第２領域が各下側凸部の第１領域よりも小さいことから、接地時に上記反力が第１領域から第２領域に向かって集約される。これにより、上記反力は、各上側凸部の第２領域から増幅された圧力として着用者の足裏各所に伝達されるようになる。その結果、着用者は、接地時に足裏各所に伝達される圧力の強弱をそれぞれの部位ごとに認識することが可能となる。したがって、第１の形態では、接地時における足裏の部位ごとにかかる荷重を適時に把握して身体の動きをコントロールしやすくすることができる。
【０００９】
第２の形態は、第１の形態において、各下側凸部は、略柱状に形成されており、第１領域は、各下側凸部における下側の底面として構成されていることを特徴とする。
【００１０】
この第２の形態では、各第１領域が比較的広い平面状に形成されるため、路面からの反力が各第１領域に伝わりやすくなる。その結果、接地時に生じる上記反力を、各第１領域から各第２領域に向かって適切に伝達することができる。
【００１１】
第３の形態は、第１または第２の形態において、複数の上側凸部は、第２領域の大きさが着用者の足裏の部位に応じて異なるように形成されていることを特徴とする。
【００１２】
この第３の形態では、接地時に生じる上記反力を足裏の各部位に応じて適切に伝達することが可能となり、特に足裏において痛みを感じやすい部位に対する過度な圧力を調整することができる。
【００１３】
第４の形態は、第１〜第３のいずれかの形態において、複数の上側凸部は、各々の突出高さが着用者の足裏の部位に応じて異なるように形成されていることを特徴とする。
【００１４】
この第４の形態では、接地時に生じる上記反力を足裏の各部位に応じて適切に伝達することが可能となり、特に足裏において痛みを感じやすい部位に対する過度な圧力を調整することができる。
【００１５】
第５の形態は、第１〜第４の形態のいずれか１つのシューズ用ソール構造を備える、シューズである。
【００１６】
この第５の形態では、上記第１〜第４の形態と同様の作用効果を奏するシューズを得ることができる。
【００１７】
第６の形態は、第５の形態において、シューズ用ソール構造の上側に取り付けられたアッパーをさらに備え、アッパーは、アッパー本体と、アッパー本体と一体に形成された中底とを有することを特徴とする。
【００１８】
この第６の形態では、アッパーがアッパー本体および中底を有していることから、中底を有しない形態と比較して、容易に製靴することができる。
【００１９】
第７の形態は、第５または第６の形態において、複数の上側凸部の上側に配置されたインソールをさらに備えていることを特徴とする。
【００２０】
この第７の形態では、インソールが上側凸部の上側に配置されているため、インソールがシューズ用ソール構造と着用者の足裏との間に配置されるようになる。すなわち、各上側凸部は、インソールを介して足裏に当接するように構成されている。その結果、例えば各上側凸部から過度な圧力がかかるような場合であっても、インソールにより足裏に対する上記圧力を調整することができる。
【発明の効果】
【００２１】
本発明によれば、接地時における足裏の部位ごとにかかる荷重を適時に把握して身体の動きをコントロールしやすくすることができる。
【図面の簡単な説明】
【００２２】
【図１】図１は、本発明の実施形態に係るソール構造を上方から見て示す斜視図である。
【図２】図２は、本発明の実施形態に係るソール構造を下方から見て示す斜視図である。
【図３】図３は、ソール構造の縦断面状態を部分的に示す部分拡大断面図である。
【図４】図４は、第１および第２領域の重なり状態を上方から見て示す模式図である。
【図５】図５は、ソール構造と足の骨格構造との位置関係を模式的に示す平面図である。
【図６】図６は、実施形態の変形例１に係るシューズの縦断面状態を示す断面図である。
【図７】図７は、実施形態の変形例２に係るシューズの縦断面状態を示す断面図である。
【発明を実施するための形態】
【００２３】
以下、本発明の実施形態を図面に基づいて詳細に説明する。以下の実施形態の説明は、本質的に例示に過ぎず、本発明、その適用物或いはその用途を制限することを意図するものではない。
【００２４】
図１および図２は、本発明の実施形態に係るシューズＳの全体を示し、このシューズＳは、例えばランニング、球技等の各種競技におけるスポーツ用シューズ、日常使用のスニーカー、リハビリ用シューズなどに適用される。
【００２５】
ここで、シューズＳは、右足用シューズのみを例示している。左足用シューズは、右足用シューズと左右対称になるように構成されているので、以下の説明では右足用シューズのみについて説明し、左足用シューズの説明は省略する。
【００２６】
また、以下の説明において、上方（上側）および下方（下側）とはシューズＳの上下方向の位置関係を表し、前方（前側）および後方（後側）とはシューズＳの前後方向の位置関係を表すものとする。
【００２７】
図１および図２に示すように、シューズＳは、ソール１を備えている。ソール１は、シューズＳを着用した者（以下「着用者」という）の足の前足部から後足部に亘る範囲に設けられている。このソール１は、例えば弾性材からなり、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。また、ソール１の周縁部には、着用者の足を覆うアッパー２が設けられている（図１および図２の仮想線を参照）。
【００２８】
この実施形態において、アッパー２は、アッパー本体２ａからなる。アッパー本体２ａは、主に着用者の足の甲を覆うためのものである。アッパー本体２ａは、その下端部がソール１における後述の上側周縁部５の位置に対応して開口するように構成されている。また、アッパー本体２ａは、その下端部が上側周縁部５に固着された状態でソール１に取り付けられている。具体的に、アッパー本体２ａの下端部は、上側周縁部５の上面５ａに対し例えば接着剤や縫製により固着されている。
【００２９】
図３に示すように、ソール１は、ソール本体部３を備えている。ソール本体部３は、着用者の足裏Ｆ全体を支持するように形成されている。具体的に、ソール本体部３は、略板状に形成されていて、着用者の足裏Ｆ全体に対応するようにシューズＳの前後方向および足幅方向に広がっている。
【００３０】
図２および図３に示すように、ソール１の下側には、ソール本体部３と一体に形成された下側周縁部４が設けられている。この下側周縁部４は、下面４ａがソール本体部３の下端部よりも下方に位置するように形成されていて、ソール本体部３の外周を覆うように配置されている。
【００３１】
図１および図３に示すように、ソール１の上側には、ソール本体部３と一体に形成された上側周縁部５が設けられている。この上側周縁部５は、上面５ａがソール本体部３の上端部よりも上方に位置するように形成されていて、ソール本体部３の外周を覆う位置に配置されている。なお、上側周縁部５には、前端側に湾曲状の前壁部６が形成されている一方、後端側に湾曲状の後壁部７が形成されている。
【００３２】
図２および図３に示すように、ソール１は、複数の下側凸部１１，１１，…を備えている。各下側凸部１１は、例えば断面視で正四角形となる四角柱状に形成されていて、ソール本体部３の下部から路面Ｇ側に向かって下方に突出している。具体的に、各下側凸部１１は、下部が下側周縁部４の下面４ａよりも下方に位置するように形成されている。また、下側凸部１１，１１，…は、互いに間隔をあけて配置されている。
【００３３】
隣接する下側凸部１１，１１，…同士の間には、溝部１２が各下側凸部１１の底面から上方に向かって凹陥形成されている。この溝部１２は、下側凸部１１，１１，…同士の間隔よりも幅が小さくかつ深さが浅くなるように形成されている。
【００３４】
図１および図３に示すように、ソール１は、複数の上側凸部１３，１３，…を備えている。各上側凸部１３は、ソール本体部３の上部から着用者の足裏Ｆ側に向かって上方に突出している。具体的に、各上側凸部１３は、基部１３ａ、および基部１３ａと一体に形成された先端部１３ｂを有している。基部１３ａは、例えば断面視で正四角形となる四角柱状に形成されていて、ソール本体部３の上部から上側周縁部５と略同じ高さ寸法ｈ０となるように形成されている。また、先端部１３ｂは、基部１３ａ上端から高さ寸法ｈ１〜ｈ３のいずれかの寸法となるように上方に向かって先細るように形成されている。すなわち、上側凸部１３，１３，…は、上部が上側周縁部５の上面５ａよりも上方に位置するように形成されている。なお、先端部１３ｂの頂点部分は、断面視で半円状に形成されているのが好ましい。
【００３５】
また、上側凸部１３，１３，…は、互いに所定の間隔をあけて配置されていて、各々が断面視で各下側凸部１１と上下一対となるように構成されている。すなわち、各上側凸部１３は、ソール本体部３の上側で各下側凸部１１と重なる位置に配置されている。
【００３６】
そして、図３および図４に示すように、各下側凸部１１は、下部が路面Ｇ（地面および床面など）に接地する第１領域Ｒ１を有している。具体的に、各第１領域Ｒ１は、各下側凸部１１における四角柱下側の底面として構成されていて、平面視で該底面における一辺の長さが寸法ａ１となっている。一方、各上側凸部１３は、上部が着用者の足裏Ｆに当接する第２領域Ｒ２を有している。この第２領域Ｒ２，Ｒ２，…は、平面視で略四角形における一辺の長さが寸法ａ１よりも小さい寸法ｂ１〜ｂ３のいずれかの寸法となっている。すなわち、各上側凸部１３の第２領域Ｒ２は、各下側凸部１１の第１領域Ｒ１よりも小さくなるように形成されている。
【００３７】
ここで、図５において、着用者の足裏Ｆの母指球および踵部などを含む領域をドットハッチングにより示した領域Ｘとして定める一方、領域Ｘ以外の領域（例えば足裏Ｆの土踏まずに対応する部位などを含む領域）を斜線のハッチングにより示した領域Ｙとして定めている。
【００３８】
図３に示すように、上側凸部１３，１３，…は、第２領域Ｒ２，Ｒ２，…の大きさが着用者の足裏Ｆの部位に応じて異なるように形成されている。具体的に、図４にも示すように、領域Ｘ内に配置されている各上側凸部１３は、第２領域Ｒ２の一辺の長さが寸法ｂ１となるように形成されている。一方、領域Ｙに配置されている各上側凸部１３は、第２領域Ｒ２の一辺の長さが寸法ｂ２または寸法ｂ３のいずれかの寸法となるように形成されている。ここで、寸法ｂ１は、寸法ｂ２および寸法ｂ３よりも大きい。また、寸法ｂ２は、寸法ｂ３よりも大きい。このような各寸法の大小関係により、領域Ｘ内の各上側凸部１３は、その第２領域Ｒ２が領域Ｙ内における各上側凸部１３の第２領域Ｒ２よりも大きくなるように構成されている。つまり、領域Ｘ内の各上側凸部１３は、着用者の足裏Ｆに対する当接面積が領域Ｙ内における各上側凸部１３の着用者の足裏Ｆに対する当接面積よりも大きくなるように構成されている。
【００３９】
また、図３に示すように、複数の上側凸部１３，１３，…は、各々の突出高さが着用者の足裏Ｆの部位に応じて異なるように形成されている。具体的に、領域Ｘ内に配置されている各上側凸部１３は、その突出高さが寸法ｈ０＋ｈ１となるように形成されている。一方、領域Ｙ内に配置されている各上側凸部１３は、その突出高さが寸法ｈ０＋ｈ２または寸法ｈ０＋ｈ３のいずれかの寸法となるように形成されている。ここで、寸法ｈ１は、寸法ｈ２および寸法ｈ３よりも小さい。また、寸法ｈ２は、寸法ｈ３よりも小さい。このような各寸法の大小関係により、領域Ｘ内の各上側凸部１３は、その突出高さが領域Ｙ内における各上側凸部１３の突出高さよりも低くなるように構成されている。
【００４０】
［実施形態の作用効果］
以上のように、ソール１によれば、例えば歩行動作、走行動作、またはジャンプ動作のような各種動作により着用者の足が路面Ｇに接地した時（以下「接地時」という）において、路面Ｇから受ける反力が複数の下側凸部１１，１１，…に伝達されるとともに、該反力がソール本体部３の上側で各下側凸部１１と重なる位置に配置された各上側凸部１３により各下側凸部１１から各上側凸部１３を介して直接的に着用者の足裏Ｆに伝達される。そして、各上側凸部１３の第２領域Ｒ２が各下側凸部１１の第１領域Ｒ１よりも小さいことから、接地時に上記反力が各第１領域Ｒ１から各第２領域Ｒ２に向かって集約される。これにより、上記反力は、各上側凸部１３の第２領域Ｒ２から増幅された圧力として着用者の足裏Ｆ各所に伝達されるようになる。その結果、着用者は、接地時に足裏Ｆ各所に伝達される圧力の強弱をそれぞれの部位ごとに認識することが可能となる。したがって、本発明の実施形態に係るシューズＳのソール１では、接地時における足裏Ｆの部位ごとにかかる荷重を適時に把握して身体の動きをコントロールしやすくすることができる。
【００４１】
また、各下側凸部１１は、略柱状に形成されており、各第１領域Ｒ１は、各下側凸部１１における下側の底面として構成されている。これにより、各第１領域Ｒ１が比較的広い平面状に形成されるため、路面Ｇからの反力が各第１領域Ｒ１に伝わりやすくなる。その結果、接地時に生じる上記反力を、各第１領域Ｒ１から各第２領域Ｒ２に向かって適切に伝達することができる。
【００４２】
また、上側凸部１３，１３，…は、第２領域Ｒ２，Ｒ２，…の大きさが着用者の足裏Ｆの部位に応じて異なるように形成されている。このため、接地時に生じる上記反力を足裏Ｆの各部位に応じて適切に伝達することが可能となり、特に足裏Ｆにおいて痛みを感じやすい部位に対する過度な圧力を調整することができる。
【００４３】
また、上側凸部１３，１３，…は、各々の突出高さが着用者の足裏Ｆの部位に応じて異なるように形成されている。このため、接地時に生じる上記反力を足裏Ｆの各部位に応じて適切に伝達することが可能となり、特に足裏Ｆにおいて痛みを感じやすい部位に対する過度な圧力を調整することができる。
【００４４】
さらに、領域Ｘ内の各上側凸部１３は、突出高さが領域Ｙ内の各上側凸部１３の突出高さよりも低くなるように形成されているため、領域Ｘ内の各上側凸部１３を、対応する各下側凸部１１から伝達される上記反力の大きさによらずに倒れにくくすることができる。
【００４５】
［実施形態の変形例１］
上記実施形態に係るシューズＳでは、アッパー２がアッパー本体２ａのみからなる形態を示したが、この形態に限られない。例えば、図６に示した変形例１に係るシューズＳのように、アッパー２がアッパー本体２ａおよび中底２ｂを有していてもよい。
【００４６】
中底２ｂは、例えば伸縮性のある網目状のメッシュ生地からなる。すなわち、中底２ｂは、その厚さや材料が上側凸部１３の反力が着用者の足裏に伝達可能な厚み、材料および構成であることが好ましい。図６に示すように、中底２ｂは、アッパー本体２ａ下側の開口を覆いかつ上下方向においてシューズＳを着用した着用者の足裏Ｆとソール１との間に位置するように構成されている。
【００４７】
中底２ｂは、アッパー本体２ａと一体に形成されている。具体的に、中底２ｂは、シューズＳにおける足幅方向の各端部がアッパー本体２ａの各下端部に対し接着剤や縫製などにより固着されるように構成されている。さらに、中底２ｂの上記各端部およびアッパー本体２ａの各下端部は、上側周縁部５の上面５ａに対して接着剤や縫製などにより固着されている。
【００４８】
中底２ｂは、上側凸部１３，１３，…の上側に配置されている。具体的に、中底２ｂは、上下方向においてシューズＳにおける足幅方向の中間部が上側凸部１３，１３，…と対向するように配置されている。
【００４９】
以上のように、この変形例のシューズＳによれば、アッパー２がアッパー本体２ａおよび中底２ｂを有しているため、アッパー２が中底２ｂを有しない形態と比較して、容易に製靴することができる。
【００５０】
また、この変形例のシューズＳでは、各上側凸部１３が中底２ｂを介して足裏Ｆに当接するように構成されている。このため、例えば足裏Ｆに対し各上側凸部１３から過度な圧力がかかるような場合であっても、中底２ｂにより足裏Ｆに対する上記圧力を調整することができる。
【００５１】
［実施形態の変形例２］
また、上記実施形態では、上側凸部１３，１３，…が着用者の足裏Ｆと直接的に当接する形態を示したが、この形態に限られない。例えば、図７に示した変形例２に係るシューズＳのように、上側凸部１３，１３，…がインソール１４を介して着用者の足裏Ｆと間接的に当接するような形態としてもよい。
【００５２】
インソール１４は、編物、織物、不織布、布地等からなる。インソール１４は、その厚さや材料が上側凸部１３の反力が着用者の足裏に伝達可能な厚み、材料および構成であることが好ましい。図７に示すように、インソール１４は、上側凸部１３，１３，…の上側に配置されている。具体的に、インソール１４は、上下方向においてシューズＳにおける足幅方向の中間部が上側凸部１３，１３，…と対向するように配置されている。すなわち、インソール１４は、シューズＳを着用した着用者の足裏Ｆとソール１との間に配置されている。なお、インソール１４は、その周縁部がソール１における上側周縁部５の上面５ａに対して接着剤や縫製などにより固着されていてもよい。
【００５３】
以上のように、この変形例のシューズＳでは、各上側凸部１３がインソール１４を介して足裏Ｆに当接するように構成されている。このため、例えば足裏Ｆに対し各上側凸部１３から過度な圧力がかかるような場合であっても、インソール１４により足裏Ｆに対する上記圧力を調整することができる。
【００５４】
［その他の実施形態］
上記実施形態として、単一の材料からなるソール本体部３を備えるソール１の形態を示したが、このような形態に限られない。例えば、ソール１として、ソール本体部３が高硬度の硬質弾性部材からなるアウトソール（図示せず）と、軟質の弾性材からなるミッドソール（図示せず）とを有する形態にしてもよい。このような形態では、ソール本体部３の下部に相当するアウトソールの下面側に下側凸部１１，１１，…を形成する一方、ソール本体部３の上部に相当するミッドソールの上面側に上側凸部１３，１３，…を形成すればよい。
【００５５】
また、上記実施形態として、各下側凸部１１が四角柱状に形成された形態を示したが、この形態に限られない。例えば、各下側凸部１１は、三角柱状に形成されていてもよく、あるいは円柱状に形成されていてもよい。要は、各下側凸部１１が略柱状に形成されていればよい。
【００５６】
また、上記実施形態の変形例１では、中底２ｂが伸縮性のある網目状のメッシュ生地からなる形態を示したが、この形態に限られない。例えば、中底２ｂがニット生地、編物、織物、不織布、布地、樹脂やラバーの発泡体などの材料のうち、いずれか一種からなる形態であってもよい。
【００５７】
また、中底２ｂは、複数の層からなる形態としてもよい。この形態において、各層の材料は同じであってもよく、または異なっていてもよい。
【００５８】
また、上記実施形態の変形例２では、インソール１４は、その周縁部がソール１における上側周縁部５の上面５ａに対して接着剤または縫製などにより固着される形態を示したが、この形態に限られない。例えば、インソール１４は、その周縁部がソール１における上側周縁部５の上面５ａに配置され、着脱可能に載置されていてもよい。
【００５９】
また、上記実施形態では、アッパー本体２ａの下端部を、接着剤により上側周縁部５の上面５ａに対し直接的に固着した形態を示したが、この形態に限られない。例えば、シューズＳを組み立てる工程において、パルプ材などの水溶性の素材からなる中底（図示せず）を一時的にアッパー本体２ａの下端部およびソール１における上側周縁部５の上面５ａに固着した中間体（図示せず）を構成するとともに、この中間体を水溶液中に浸すことにより上記中底のみを溶解させて取り除くという工程を含めてもよい。かかる工程を経ることにより、上記変形例１のように、容易に製靴することができる。
【００６０】
また、上記実施形態の変形例１では、変形例２で示したインソール１４を、中底２ｂの上側に配置してもよい。
【００６１】
以上、本発明についての実施形態を説明したが、本発明は上述の実施形態のみに限定されず、発明の範囲内で種々の変更が可能である。
【産業上の利用可能性】
【００６２】
本発明は、例えばランニング、球技等の各種競技におけるスポーツ用シューズ、それらの競技におけるトレーニング用シューズ、日常使用のスニーカー、リハビリ用シューズとして産業上の利用が可能である。
【符号の説明】
【００６３】
Ｓ：シューズ
１：ソール
２：アッパー
２ａ：アッパー本体
２ｂ：中底
３：ソール本体部
４：下側周縁部
５：上側周縁部
１１：下側凸部
１３：上側凸部
１３ａ：基部
１３ｂ：先端部
１４：インソール
Ｒ１：第１領域
Ｒ２：第２領域
Ｇ：路面
Ｆ：足裏
【図１】
2019063491.tif 000003
【図２】
2019063491.tif 000004
【図３】
2019063491.tif 000005
【図４】
2019063491.tif 000006
【図５】
2019063491.tif 000007
【図６】
2019063491.tif 000008
【図７】
2019063491.tif 000009